(57)【要約】【課題】ローアングルやハイアングルによる撮影においても撮像装置本体の横方向にかさばることがなく、撮像装置本体を三脚に固定した状態であっても自分撮りができる可動式モニターを装置背面に配した撮像装置を提供することを目的とする。【解決手段】撮像装置本体１０１と、前記撮像装置本体の背面に固定された第一の軸Ｘと、前記第一の軸Ｘによって一端を回転自在に支持された第二の軸Ｙと、前記第二の軸Ｙによって一端を回転自在に支持された第三の軸Ｚと、前記第三の軸Ｚによって回転自在に支持された可動式モニター１０２と、を備える、ことを特徴とする。【選択図】図１
2011124902.tif 000002
【特許請求の範囲】
【請求項１】
撮像装置本体と、
前記撮像装置本体の背面に固定された第一の軸と、
前記第一の軸によって一端を回転自在に支持された第二の軸と、
前記第二の軸によって一端を回転自在に支持された第三の軸と、
前記第三の軸によって回転自在に支持された可動式モニターと、
を備える、ことを特徴とする撮像装置。
【請求項２】
前記第三の軸は、
前記可動式モニターのいずれか一辺の略中央において前記可動式モニターを回転自在に支持する、
ことを特徴とする請求項１に記載の撮像装置。
【請求項３】
前記第三の軸は、
前記可動式モニターのいずれか一辺の略中央から前記第一の軸と離れる位置において前記可動式液晶モニターを回転自在に支持する、
ことを特徴とする請求項１に記載の撮像装置。
【請求項４】
撮像装置本体と、
前記撮像装置本体に対して三軸の回転自由度をもって前記撮像装置本体に可動支持された可動式モニターと、
を備える撮像装置であって、
前記三軸を構成する第一の軸は、
前記撮像装置本体の背面と平行であり、
前記三軸を構成する第二の軸は、
前記第一の軸と直交し、
前記三軸を構成する第三の軸は、
前記第二の軸と直交する、
ことを特徴とする撮像装置。
【発明の詳細な説明】
【技術分野】
【０００１】
本発明は、撮像装置に関するものであり、特には、液晶モニター等の可動式モニターを採用した撮像装置に関するものである。
【背景技術】
【０００２】
デジタルスチルカメラ等の撮像装置においては、装置背面に配された液晶モニターによって被写体を視認する方式が主流になっている。レンズを交換することができないコンパクトタイプのデジタルスチルカメラにおいては、装置背面に配された液晶モニターが固定式になっているものが多いが、レンズ交換式のデジタルスチルカメラにおいては、装置背面に配された液晶モニターが可動式になっているものが多い。また、レンズを交換することができないデジタルスチルカメラにおいても、大口径のレンズを採用した高機能なものにあっては、装置背面に配された液晶モニターが可動式になっているものも多い。
【０００３】
可動式の液晶モニターは、デジタルスチルカメラ本体に対して、その向きや角度を変更することができるので、液晶モニターを常に正面から視認することができる。この点は、ハイアングルやローアングルによる撮影の際に特に有用になる。
【０００４】
従来のデジタルスチルカメラに採用されている可動式液晶モニターは、二つの回転軸によって回転するものである。これには、以下に示す（Ａ）、（Ｂ）二つのタイプがある。
【０００５】
タイプ（Ａ）：図４は、従来のデジタルスチルカメラに採用されている第一のタイプの可動式液晶モニターを説明する図である。第一のタイプの可動式液晶モニターにおいては、二つの回転軸が液晶モニターの下部に設けられている。Ｘ軸は、デジタルスチルカメラ本体に対して固定されているが、Ｙ軸は、可動式液晶モニターとともに回転する。
【０００６】
図４（ａ）は、可動式液晶モニターを使用していない状態を示す図である。可動式液晶モニターは、液晶モニターの表示面がデジタルスチルカメラ本体に対向する形で、デジタルスチルカメラ本体に格納されている。この状態では、液晶モニターの表示面がデジタルスチルカメラ本体に対向しているので、液晶モニターの表示面が汚れたり傷ついたりするのを防止することができる。この状態では、可動式液晶モニターをＹ軸によって回転させることはできない。
【０００７】
図４（ｂ）は、可動式液晶モニターをＸ軸によって図面手前側に略９０度開いた状態を示す図である。可動式液晶モニターは、さらに１３５度程度まで開くことができる。液晶モニターの表示面は、上を向いている。この状態では、可動式液晶モニターのＸ軸に対する角度を適切に調整することによってローアングルによる撮影ができる。この状態では、可動式液晶モニターをＹ軸によって１８０度回転させることができる。
【０００８】
図４（ｃ）は、可動式液晶モニターをＹ軸によって１８０度回転させた状態を示す図である。液晶モニターの表示面は、下を向いている。この状態では、可動式液晶モニターのＸ軸に対する角度を適切に調整することによってハイアングルによる撮影ができる。
【０００９】
図４（ｄ）は、可動式液晶モニターを通常撮影において使用している状態を示す図である。図４（ｃ）に示す状態から、可動式液晶モニターをＸ軸によって図面奥側に略９０度閉じることによって図４（ｄ）に示す状態に至る。可動式液晶モニターは、液晶モニターの表示面が撮影者側を向く状態で、デジタルスチルカメラ本体に格納されている。この状態では、可動式液晶モニターをＹ軸によって回転させることはできない。
【００１０】
タイプ（Ｂ）：図５は、従来のデジタルスチルカメラに採用されている第二のタイプの可動式液晶モニターを説明する図である。第二のタイプの可動式液晶モニターにおいては、二つの回転軸が液晶モニターの左部に設けられている。Ｙ軸は、デジタルスチルカメラ本体に対して固定されているが、Ｘ軸は、可動式液晶モニターとともに回転する。
【００１１】
図５（ａ）は、可動式液晶モニターを使用していない状態を示す図である。可動式液晶モニターは、液晶モニターの表示面がデジタルスチルカメラ本体に対向する形で、デジタルスチルカメラ本体に格納されている。この状態では、液晶モニターの表示面がデジタルスチルカメラ本体に対向しているので、液晶モニターの表示面が汚れたり傷ついたりするのを防止することができる。この状態では、可動式液晶モニターをＸ軸によって回転させることはできない。
【００１２】
図５（ｂ）は、可動式液晶モニターをＹ軸によって図面左側に略１８０度開いた状態を示す図である。この状態では、可動式液晶モニターのＸ軸に対する角度を適切に調整することによってローアングルやハイアングルによる撮影ができる。この状態では、可動式液晶モニターをＸ軸によって１８０度回転させることができる。
【００１３】
図５（ｃ）は、可動式液晶モニターをＸ軸によって１８０度回転させた状態を示す図である。液晶モニターの表示面は、被写体側を向いている。この状態では、撮影者が自身でデジタルスチルカメラを把持したまま自身を被写体にした撮影をする、いわゆる自分撮りができる。
【００１４】
図５（ｄ）は、可動式液晶モニターを通常撮影において使用している状態を示す図である。図５（ｃ）に示す状態から、可動式液晶モニターをＹ軸によって図面右側に略１８０度閉じることによって図５（ｄ）に示す状態に至る。可動式液晶モニターは、液晶モニターの表示面が撮影者側を向く状態で、デジタルスチルカメラ本体に格納されている。この状態では、可動式液晶モニターをＸ軸によって回転させることはできない。
【００１５】
以上に説明した二つのタイプ（Ａ）、（Ｂ）の可動式液晶モニターを装置背面に配するデジタルスチルカメラでは、ローアングルやハイアングルによる撮影、自分撮り等ができる。
【００１６】
なお、二つの回転軸によって回転する可動式液晶モニターに関する先行技術文献として特許文献１と特許文献２等がある。特許文献１は、デジタルビデオカメラに関するものであり、特許文献２は、携帯電話に関するものである。
【先行技術文献】
【特許文献】
【００１７】
【特許文献１】特開平１１−３３１６５２号公報
【特許文献２】特開２００５−３８２１７号公報
【発明の概要】
【発明が解決しようとする課題】
【００１８】
タイプ（Ａ）の可動式液晶モニターを装置背面に配するデジタルスチルカメラにおいては、ローアングルやハイアングルによる撮影において、デジタルスチルカメラ本体の横方向にかさばらないというメリットがある。
【００１９】
一方、自分撮りができなかったり、ローアングルによる撮影において、可動式液晶モニターの上部に配されたビューファインダーと液晶モニターの表示面が重なってしまい、液晶モニターの表示面を視認しにくい場合があったりするというデメリットがある。
【００２０】
なお、可動式液晶モニターをＸ軸によって１８０度回転することができるようにすれば、自分撮りができるようにすることもできる。しかし、デジタルスチルカメラ本体の下部に突出した液晶モニターの表示面は被写体側から視認しにくいので、あまり現実的ではない。また、可動式液晶モニターをＸ軸によって１８０度回転することができるようにしたデジタルスチルカメラであっても、デジタルスチルカメラ本体を三脚に固定した状態では、液晶モニターの表示面を視認することができない。
【００２１】
タイプ（Ｂ）の可動式液晶モニターを装置背面に配するデジタルスチルカメラにおいては、デジタルスチルカメラ本体を三脚に固定した状態であっても自分撮りができるというメリットがある。また、ローアングルによる撮影においても、可動式液晶モニターの上部に配されたビューファインダーと液晶モニターの表示面が重なってしまい、液晶モニターの表示面が視認しにくくなることがないというメリットがある。
【００２２】
一方、ローアングルやハイアングルによる撮影において、デジタルスチルカメラ本体の横方向にかさばってしまうというデメリットがある。
【００２３】
本発明は、前記課題を解決し、ローアングルやハイアングルによる撮影においても撮像装置本体の横方向にかさばることがなく、撮像装置本体を三脚に固定した状態であっても自分撮りができる可動式モニターを装置背面に配した撮像装置を提供することを目的とする。
【課題を解決するための手段】
【００２４】
前記課題を解決するために、本発明の撮像装置は、撮像装置本体と、前記撮像装置本体の背面に固定された第一の軸と、前記第一の軸によって一端を回転自在に支持された第二の軸と、前記第二の軸によって一端を回転自在に支持された第三の軸と、前記第三の軸によって回転自在に支持された可動式モニターと、を備える、ことを特徴とする。
【発明の効果】
【００２５】
以上のように、本発明によれば、ローアングルやハイアングルによる撮影においても撮像装置本体の横方向にかさばることがなく、撮像装置本体を三脚に固定した状態であっても自分撮りができる可動式モニターを装置背面に配した撮像装置を提供することができる
という効果を奏する。
【図面の簡単な説明】
【００２６】
【図１】本発明の実施の形態であるデジタルスチルカメラの可動式液晶モニターを説明する図
【図２】軸部の拡大図
【図３】可動式液晶モニターの新たな使い方を説明する図
【図４】従来のデジタルスチルカメラに採用されている第一のタイプの可動式液晶モニターを説明する図
【図５】従来のデジタルスチルカメラに採用されている第二のタイプの可動式液晶モニターを説明する図
【発明を実施するための形態】
【００２７】
以下、本発明の実施の形態であるデジタルスチルカメラ１００について、図面を用いて詳細に説明する。図１は、本発明の実施の形態であるデジタルスチルカメラ１００の可動式液晶モニター１０２を説明する図である。
【００２８】
本発明の実施の形態であるデジタルスチルカメラ１００に採用されている可動式液晶モニター１０２は、三つの回転軸によって回転するものである。本発明の実施の形態であるデジタルスチルカメラ１００に採用されている可動式液晶モニター１０２においては、三つの回転軸が液晶モニターの左部に設けられている。
【００２９】
第一の回転軸であるＸ軸は、デジタルスチルカメラ本体１０１に固定されている。第二の回転軸であるＹ軸は、一端がＸ軸に固定されており、Ｘ軸によって図面手前側に回転させることができる。第三の軸であるＺ軸は、一端がＹ軸に固定されており、Ｙ軸によって回転させることができる。
【００３０】
図１（ａ）は、可動式液晶モニター１０２を使用していない状態を示す図である。可動式液晶モニター１０２は、液晶モニターの表示面がデジタルスチルカメラ本体１０１に対向する形で、デジタルスチルカメラ本体１０１に格納されている。この状態では、液晶モニターの表示面がデジタルスチルカメラ本体１０１に対向しているので、液晶モニターの表示面が汚れたり傷ついたりするのを防止することができる。この状態では、可動式液晶モニター１０２をＸ軸またはＹ軸によって回転させることができる。一方、可動式液晶モニター１０２をＺ軸によって回転させることはできない。
【００３１】
図１（ｂ）は、可動式液晶モニター１０２をＸ軸によって図面手前側に略９０度開いた状態を示す図である。可動式液晶モニター１０２は、さらに１３５度程度まで開くことができる。液晶モニターの表示面は、上を向いている。この状態では、従来のデジタルスチルカメラに採用されている可動式液晶モニターのタイプ（Ａ）と同様に、可動式液晶モニター１０２のＺ軸に対する角度を適切に調整することによってローアングルやハイアングルによる撮影ができる。この状態では、ローアングルやハイアングルによる撮影において、デジタルスチルカメラ本体１０１の横方向にかさばらないというメリットがある。
【００３２】
図１（ｃ）は、可動式液晶モニター１０２をＹ軸によって図面左側に略１８０度開いた状態を示す図である。この状態では、従来のデジタルスチルカメラに採用されている可動式液晶モニターのタイプ（Ｂ）と同様に、可動式液晶モニター１０２のＺ軸に対する角度を適切に調整することによってローアングルやハイアングルによる撮影ができる。ローアングルによる撮影において、図１（ｂ）に示す状態では可動式液晶モニター１０２の上部に配されたビューファインダー１０３と液晶モニターの表示面が重なってしまい、液晶モニターの表示面を視認しにくい場合、図１（ｃ）に示す状態でローアングルやハイアングルによる撮影を行うこともできる。
【００３３】
また、図１（ｃ）に示す状態では、可動式液晶モニター１０２をＺ軸によって１８０度回転させることができるので、撮影者が自身でデジタルスチルカメラ１００を把持したまま自身を被写体にした撮影をする、いわゆる自分撮りができる。
【００３４】
図２は、軸部の拡大図である。図２（ａ）は、可動式液晶モニター１０２を使用していない状態または可動式液晶モニター１０２を通常撮影において使用している状態において、軸部をデジタルスチルカメラ本体１０１の背面やや下方向から見た図である。図２（ｂ）は、可動式液晶モニター１０２をＸ軸によって図面手前側に略９０度開いた状態において、軸部をデジタルスチルカメラ本体１０１の背面やや左方向から見た図である。なお、軸部は、化粧カバー等で隠蔽されていてもよい。
【００３５】
また、デジタルスチルカメラ本体１０１に対するＸ軸の固定方法、Ｘ軸に対するＹ軸の一端の支持方法、Ｙ軸に対するＺ軸の支持方法は、図２に示したものに限られない。例えば、Ｙ軸の一端をＸ軸に回転自在に支持させる場合において、Ｘ軸として独立した軸を設けずデジタルスチルカメラ本体１０１に一対の孔部を設け、Ｙ軸の一端に一対の突起部を設け、Ｙ軸の一端に設けられた一対の突起部をデジタルスチルカメラ本体１０１に設けられた一対の孔部に勘合させることによってＹ軸の一端をＸ軸に回転自在に支持させるようにしてもよい。
【００３６】
すなわち、本発明の実施において、各軸は、必ずしも独立した軸として存在している必要はない。可動式液晶モニター１０２がデジタルスチルカメラ本体１０１に対して三つの回転自由度をもち、そのうち第一の回転自由度の軸であるＸ軸がデジタルスチルカメラ本体１０１の背面と平行であり、第二の回転自由度の軸であるＹ軸が第一の回転自由度の軸であるＸ軸と垂直であり、第三の回転自由度の軸であるＺ軸が第二の回転自由度の軸であるＹ軸と垂直であればよい。その結果、第一の回転自由度の軸であるＸ軸と第三の回転自由度の軸であるＺ軸は、平行またはねじれに位置にあることになる。
【００３７】
なお、Ｚ軸は、可動式液晶モニター１０２の四辺のうち、いずれか一辺の略中央またはいずれか一辺の略中央からＸ軸と離れる位置において可動式液晶モニター１０２を回転自在に支持することが望ましい。Ｚ軸がＸ軸に近づくと、可動式液晶モニター１０２をＺ軸によって１８０度回転させる場合にデジタルスチルカメラ本体１０１と可動式液晶モニター１０２が接触するからである。
【００３８】
また、本発明の実施の形態であるデジタルスチルカメラ１００は、ローアングルやハイアングルによる撮影において、可動式液晶モニター１０２の新たな使い方を提案する。図３は、可動式液晶モニター１０２の新たな使い方を説明する図である。
【００３９】
図１（ｃ）に示す状態から、Ｘ軸によって可動式液晶モニター１０２を図面手前に若干回転させ、Ｙ軸によって可動式液晶モニター１０２を図面右側に若干回転させることによって図７に示す状態に至る。図７に示す状態では、ハイアングルによって右斜め下の被写体を撮影する場合であっても、液晶モニターの表示面を正面から視認することができる。Ｚ軸によって可動式液晶モニター１０２の表示面の向きを微調整することもできる。
【００４０】
図７は、ハイアングルによって右斜め下の被写体を撮影する場合を示したが、同様の操作によって、ハイアングルによって左斜め下の被写体を撮影する場合、ローアングルによって右斜め上の被写体を撮影する場合、ローアングルによって左斜め上の被写体を撮影する場合のいずれであっても、液晶モニターの表示面を正面から視認することができる。
【００４１】
なお、本実施の形態であるデジタルスチルカメラ１００においては、可動式液晶モニター１０２を採用したが、可動式モニターを液晶モニターに限定するものではない。今後、有機ＥＬモニターを採用した可動式モニターが普及するかもしれないし、その他の小型フラットディスプレイを採用した可動式モニターが現れるかもしれない。また、ビューファインダー１０３は、本発明の実施において必須の要件ではない。
【産業上の利用可能性】
【００４２】
本発明によれば、ローアングルやハイアングルによる撮影においても撮像装置本体の横方向にかさばることがなく、撮像装置本体を三脚に固定した状態であっても自分撮りができる可動式モニターを装置背面に配した撮像装置を提供することができるので、レンズ交換のできるデジタルスチルカメラからコンパクトタイプのデジタルスチルカメラまで幅広い撮像装置に適用することができる。
【符号の説明】
【００４３】
１００    デジタルスチルカメラ
１０１    デジタルスチルカメラ本体
１０２    可動式液晶モニター
１０３    ビューファインダー
【図１】
2011124902.tif 000003
【図２】
2011124902.tif 000004
【図３】
2011124902.tif 000005
【図４】
2011124902.tif 000006
【図５】
2011124902.tif 000007